(57)【要約】【課題】  飲食店又は家庭等で使用される、瓶、コップ等の飲料容器類にできる結露現象の水滴が、テーブル、カウンター又は衣服等に滴下したり、付着することを防止するシート体Ｓ及び吸収具を提供する。【解決手段】  シート体Ｓは、綿状パルプ１ａ 、吸収紙１ｂ、高分子吸収材１ｃを重合、平板状の吸収体を芯材１とし、ポリエステル繊維又はポリエステル繊維とポリウレタン繊維を交編してなる布帛を表皮材２とし、前記芯材１の全周面を、前記表皮材２で被包又はサンドイッチ状に挟着し、所定の大きさと形状に裁断し、該裁断された形状の周縁を、溶着２ｄ又は縫着２ｅしてなり、シート体Ｓが製作される。【選択図】図１
0003118258.tif 000002
【実用新案登録請求の範囲】
【請求項１】
綿状パルプ、吸収紙及び高分子吸収材を重合し、平板状とした吸収体を芯材とし、
ポリエステル繊維又はポリエステル繊維とポリウレタン繊維を交編してなる布帛を表皮材とし、
前記芯材の全周面を、前記表皮材で被包又はサンドイッチ状に挟着し、所定の大きさと形状に裁断し、
該裁断された形状の周縁を、溶着又は縫着してなる、
ことを特徴とする、飲料容器類の水滴吸収シート体。
【請求項２】
前記、芯体の底部に、全面〜複数部分の固定部材を配設することを特徴とする、請求項１記載の飲料容器類の水滴吸収シート体。
【請求項３】
前記形状が、幾何図形、ハート図形、スペード形状、クローバー形状、星図形、動植物図形であることを特徴とする、請求項１ないし請求項２記載の、飲料容器類の水滴吸収シート体。
【請求項４】
前記芯材の底部固定部材が、接着剤又は両面テープであることを特徴とする、請求項２記載の、飲料容器類の水滴吸収シート体。
【請求項５】
前記飲料容器等の水滴吸収シート体の厚さが、３ｍｍ〜６ｍｍであることを特徴とする、請求項１ないし請求項４記載の、飲料容器類の水滴吸収シート体。
【請求項６】
請求項１ないし請求項５記載の、前記飲料容器等の水滴吸収シート体を、合成樹脂材、木材、竹材、皮革、金属、陶磁器又はコルクからなる、扁平状台板、枠体又は枠付き台板に装着した、台板型水滴吸収具。
【請求項７】
請求項１ないし請求項５記載の、前記飲料容器等の水滴吸収シート体を、有底筒状に形成し、開口部の上周縁に弾性紐状体を縫着した、筒型水滴吸収具。
【考案の詳細な説明】
【技術分野】
【０００１】
本考案は、飲料容器等の水滴吸収シート体及び水滴吸収具に係り、より詳しくは、喫茶店、スナック、レストラン又は一般家庭等において、冷蔵庫等で冷温化された瓶類等を、庫外に取り出し飲食するとき、該瓶類や冷飲料を注いだコップやジョッキ等の外周面、底面にできるいわゆる、結露現象の水滴が、テーブル、カウンター又は衣服等に滴下したり、付着することを防止する、飲料容器類の水滴吸収シート体及び水滴吸収具に関する。
【背景技術】
【０００２】
結露ないし結露現象とは、温度差によって空気中の水蒸気が凝結し、ものの表面に水滴ができることをいい、従来より、喫茶店、スナック、レストラン等の飲食店では、結露の水滴が、テーブル、カウンター又は衣服に滴下したり、付着することを防止するために、各種の提案がなされている。例えば、特開２００４−４１６６５の「グラスの結露をとる帯状の吸水紙」、特開２００３−２１９９５０の「容器結露落下防止具」、特開２００２−５１８９３の「水滴防止シート」、登録実用新案３０７９６９８の「コースター」、登録実用新案３０４１２７０の「パーティーカップにおける結露防止カバー」等々である。
【０００３】
結露現象の水滴が、テーブル等に滴下したり、衣服に付着することを防止する手段として、一般的には、吸水性の高い紙製のコースターが広く使われているが、紙製のコースターは洗浄ができないので使い捨てとなり、不経済であるうえに顧客には無機質で、安価な感じを与えている。また木質（コルクを含む）、竹材等の天然素材を使用したものや、合成樹脂材等で成形されたもの等が使用されている。しかしながら、木質（コルクを含む）、竹材等の天然素材を使用したコースターは、使用時に水滴が浸透し、非衛生的である。さらに合成樹脂材等で成形されたコースターは、耐水性は高いが水分を吸収しないためにコップ等は滑って転倒したり、またコップ外周面や底面の水滴がコースター表面に溜まり、コップを持ち上げたとき、コップの底部から水滴が落下し、衣服を濡らしたり、テーブル、カウンター等の周辺を水浸しにしたりしている。店員はそのつどダスター等で繰り返しこれを払拭するので顧客には不快感を与えている。また布製のコースターやあるいは１枚の布帛を折り畳んでコースターとして利用している場合もあるが、洗浄できるという長所を有しているものの、瓶、ジョッキやコップ等の外周面や底面に結露して落下する水滴が、布帛の裏面まで浸潤し、テーブル、カウンター等の上面を濡らす短所も有している。  
【０００４】
飲料容器類にできる結露の水滴が滴下するのを防止する手段ないし方法としては、２種類に大別される。その１は、コップ台紙と称されるコースターのように、瓶、ジョッキ、コップ、茶碗類の底部への敷き具ないし受け具であり、その２は、柔軟性と吸収性のある薄紙等を、コップ等の外周面に巻回して片手で把持する、巻回タイプである。上述の特許文献等は、敷き具ないし受け具か巻回タイプであるが、いずれも何らかの問題点を有しており、最適とされる、又はそれに近い水滴防止具は、未だ開発されていない現状にある。
【特許文献１】特開２００４−４１６６５号公報
【特許文献２】特開２００３−２１９９５０号公報
【特許文献３】特開２００２−５１８９３号公報
【特許文献４】登録実用新案３０７９６９８号公報
【特許文献５】登録実用新案３０４１２７０号公報
【考案の開示】
【考案が解決しようとする課題】
【０００５】
本考案の課題は、喫茶店、スナック、レストラン又は一般家庭等において使用される、飲料容器類にできる結露現象の水滴が、テーブル、カウンター又は衣服等に滴下したり、付着することを防止する、飲料容器類の水滴吸収シート体及び水滴吸収具を提供することにある。
【課題を解決するための手段】
【０００６】
本考案者らは、上記の課題を解決するために、各種素材の組み合わせ、製作方法等について、鋭意検討した結果、本考案の完成に至った。上記課題を解決するための請求項１記載の考案は、綿状パルプ、吸収紙及び高分子吸収材を重合し、平板状とした吸収体を芯材とし、ポリエステル繊維又はポリエステル繊維とポリウレタン繊維を交編してなる布帛を表皮材とし、前記芯材の全周面を、前記表皮材で被包又はサンドイッチ状に挟着し、所定の大きさと形状に裁断し、該裁断された形状の周縁を、溶着又は縫着してなる、ことを特徴としている。
【０００７】
上記課題を解決するための請求項２記載の考案は、請求項１記載の考案にあって、芯体の底部に、全面〜複数部分の固定部材を配設することを特徴としている。
【０００８】
上記課題を解決するための請求項３記載の考案は、請求項１又は請求項２記載の考案にあって、形状が、幾何図形、ハート図形、スペード形状、クローバー形状、星図形、動植物図形であることを特徴としている。
【０００９】
上記課題を解決するための請求項４記載の考案は、請求項２記載の考案にあって、固定部材が、接着剤又は、両面テープであることを特徴としている。
【００１０】
上記課題を解決するための請求項５記載の考案は、請求項１ないし請求項４記載の考
案にあって、飲料容器等の水滴吸収シート体の厚さが、３ｍｍ〜６ｍｍであることを特徴としている。  
【００１１】
上記課題を解決するための請求項６記載の考案は、請求項１ないし請求項５記載の考案の飲料容器等の水滴吸収シート体を、合成樹脂材、木材、竹材、皮革、金属、陶磁器又はコルクからなる、扁平状台板、枠体又は枠付き台板に装着した、台板型水滴吸収具であることを特徴としている。
【００１２】
上記課題を解決するための請求項７記載の考案は、請求項１ないし請求項５記載の考案の飲料容器等の水滴吸収シート体を、有底筒状に形成し、開口部の上周縁に弾性紐状体を縫着した、筒型水滴吸収具であることを特徴としている。
【考案の効果】
【００１３】
請求項１記載の考案によれば、芯材となる吸収体は、水滴を迅速かつ強力に吸収する綿状パルプ、吸収紙及び高分子吸収材からなる３部材を重合して平板状とし、これを被包又はサンドイッチ状に挟着する表皮材は、伸縮性、弾力性及び特に速乾性を有するポリエステル繊維又はポリエステル繊維とポリウレタン繊維を交編してなる布帛からなり、結露現象の水滴は、表皮材を通過するとすぐに吸収体によって吸収されるので、コップ等の底面から水滴が落下して衣服を濡らしたり、テーブル、カウンター等の上面が水浸しになったりすることがない。また表皮材のポリエステル繊維とポリウレタン繊維は、特に速乾性があるので、手指等に接触しても不快感を与えることがなく、水滴吸収シート体の表裏面は、同一の素材なので交互に使用することができる。さらに表皮材は、布帛なので洗浄することが可能で、繰り返して使用できるという経済的効果をも有する。特に喫茶店、スナック、レストラン等においては、テーブル、カウンター上に滴下した水滴を、店員がダスター等で常に払拭することが不要なので、顧客は快適に飲食することができる。
【００１４】
請求項２ないし請求項６記載の考案によれば、水滴吸収シート体の厚さが、約３ｍｍ〜約６ｍｍとしているから、単独でコースター又は茶托として使用も可能である。芯体の底部固定材によって、表皮材に定着して使用しやすい。また、各種形状の素材に装着し、台板付きのコースター又は茶托として使用することができる。
【００１５】
請求項７記載の考案によれば、筒型水滴吸収具は、有底筒状に形成し、開口部の上周縁に弾性紐状体を縫着してなるので、各種コップ等の外径の大きさに対応できる汎用性があり、コップ等を筒状体の内部に収容すれば、外周面や底面の水滴は、吸収体によって吸収され、また表皮材には速乾性があるので、コップを把持した指先には好感触を与えると共に、コップ内飲料の温度が変化するのを遅延させるので、例えば、ビュッフェスタイルの立食パーティー等での使用には好適である。
【考案を実施するための最良の形態】
【００１６】
以下、本考案に係る、飲料容器等の水滴吸収シート体の最良の実施形態について、図面を参照しながら説明する。図１は、水滴吸収シート体（以下、シート体Ｓという）の構成部材を説明する一部省略拡大断面図、図２は、芯材を表皮材でサンドイッチ状に挟着した状態の一部省略拡大断面図、図３は、シート体Ｓを扁平状台板に載置した状態の一部省略拡大断面図、図４は、シート体Ｓを枠付き台板に装着した状態の一部省略拡大断面図、図５（イ）、（ロ）、（ハ）は、筒型水滴吸収具の製作態様を説明する平面図、図６は、台板型水滴吸収具の使用状態を示す斜視図、図７は、筒型水滴吸収具の使用状態を示す斜視図である。
【００１７】
図１のシート体Ｓは、芯材１、表皮材２からなり、芯材１は、綿状パルプ１ａ、吸収紙１ｂ及び高分子吸収材１ｃを重合し、これをプレスローラー等で薄い平板状としたものであり、綿状パルプ１ａは、板状パルプを細幅状の切り刃が装着された、ロールマシンで引っ掻くようにして製作され、吸収紙１ｂは、天然パルプを湿式又は乾式で抄造されたもので、高分子吸収材１ｃは、高い吸収性を保持する素材から選択され、特にアクリル酸ポリマー、ポリビニルアルコール系、ポリビニルピロリドン系、ポリビニルホスホン酸系等が好ましい。また芯材１を構成する綿状パルプ１ａ、吸収紙１ｂ及び高分子吸収材１ｃの重合順序は、図示するものに限定されない。
【００１８】
表皮材２は、伸縮性、弾力性及び特に速乾性を有するポリエステル繊維又はポリエステル繊維とポリウレタン繊維を交編してなる布帛が最適で、図１に示すように、芯材１の全周面を、表皮材２で被包し、表布２ａと裏布２ｂの接合部２ｃを高周波溶接機等で溶着２ｄしている。図中のＨは、シート体Ｓの厚さで、その寸法は約３ｍｍ〜約６ｍｍが好適であり、Ｌは、シート体Ｓの直径又は長さ寸法で、約８ｃｍ〜約１１ｃｍに設定するのが好ましい。芯材１の底部には固定材３を配設した状態を示す。
【００１９】
図２は、同一素材を別体として裁断された表布２ａと裏布２ｂからなる表皮材２で、芯材１の上下をサンドイッチ状に挟着した状態を例示し、表布２ａと裏布２ｂの外周縁接合部２ｃ’は、木綿糸等で縫着２ｅされている。芯材１の底部には固定材３を配設した状態を示す。
【００２０】
図３は、シート体Ｓを扁平状台板４の表面に載置した場合の使用図である。
【００２１】
図４は、シート体Ｓを枠付き台板６に装着した、枠付き台板吸収具Wを示し、シート体Ｓの厚さＨが、枠付き台板６に立設された枠６ａより少々嵩高になっても、使用にさいしては何ら問題とはならない。また枠付き台板６は、シート体Ｓの直径又は長さＬに適合するものが選定又は製作される。  
【００２２】
図５（イ）、（ロ）、（ハ）に示すのは、筒型水滴吸収具T（図７、参照）を製作するための部材で、図５（イ）のTａは、シート体Ｓを円形に裁断した底布で、図５（ロ）のTbは、シート体Ｓを長方形に裁断した周壁布で、図５（ハ）は、丸ゴム等の弾性紐状体Tｃである。筒型水滴吸収具Tを製作するには、先ず周壁布Tbの上方に弾性紐状体Tｃを載置し、これを周壁布Tbの上周縁部で被覆してから、弾性紐状体Tｃの上下部を木綿糸等で周壁布Tbに縫着し、次に周壁布Tbの下端周縁を、底布Tａの外周縁に沿うように縫着した後、底布Tａの底面を上方に押し上げて反転すれば、筒型水滴吸収具Tの製作は完了する。
【００２３】
図６は、台板型水滴吸収具Dに、コップＧを載置して使用した状態を示し、該コップＧの外周面Ｇａ及び底面Ｇｂから滴下した水滴は、表布２ａを通って芯材１に吸収される。また図８に示すのは、筒型水滴吸収具Tの使用例を示し、コップＧ’の下方部は、周壁布Ｔｂで被包され、該周壁布Ｔｂの開口部に当接する、コップＧ’の外周面Ｇａ’及び底面Ｇｂ’から滴下した水滴は、表布２ａ’の内周面を通って芯材１’に吸収され、飲料者は、筒型水滴吸収具Tを把持して快適に飲食することができる。
【図面の簡単な説明】
【００２４】
【図１】本考案に係る、シート体Ｓの構成部材を説明する一部省略拡大断面図である。
【図２】芯材を表皮材でサンドイッチ状に挟着した状態の一部省略拡大断面図である。
【図３】シート体Ｓを扁平状台板に装着した状態の一部省略拡大断面図である。
【図４】シート体Ｓを枠付き台板に装着した状態の一部省略拡大断面図である。
【図５】（イ）、（ロ）、（ハ）筒型水滴吸収具の製作態様を説明する平面図
【図６】台板型水滴吸収具の使用状態を示す斜視図である。
【図７】筒型水滴吸収具の使用状態を示す斜視図である。
【符号の説明】
【００２５】
Ｓ                         水滴吸収シート体
D                          台板型水滴吸収具
K                          枠付き水滴吸収具
W                          枠付き台板吸収具
T                           筒型水滴吸収具
１                          芯材
１ａ                         綿状パルプ
１ｂ                         吸収紙
１ｃ                        高分子吸収材
２                          表皮材
２ａ                          表布
２ｂ                        裏布
２ｄ                        溶着
２ｅ                        縫着
３                          固定部材
４                          扁平状台板
５                          枠体
６                          枠付き台板
Tｃ                        弾性紐状体
【図１】
0003118258.tif 000003
【図２】
0003118258.tif 000004
【図３】
0003118258.tif 000005
【図４】
0003118258.tif 000006
【図５】
0003118258.tif 000007
【図６】
0003118258.tif 000008
【図７】
0003118258.tif 000009